(57)【要約】【課題】  欄間パネルを複数枚並べる場合でも安定した状態で取り付けることができ、さらにドア枠の取替えが容易になる欄間パネルの取付構造および取付方法を提供すること。【解決手段】  ドア１４の上部に設けられた上枠部２２の上面に上枠部２２の長手方向に沿って延びる係合溝部２７を形成するとともに、欄間パネル２４の下面に、被係合溝部３３を欄間パネル２４の下面の長手方向に沿って形成した。そして、上枠部２２と欄間パネル２４との間に、係合溝部２７に係合する下部突条３２ａと被係合溝部３３に係合する上部突条３２ｂとを備えた連結部材２３を設け、連結部材２３を介して上枠部２２に欄間パネル２４を取り付けた。また、連結部材２３には、上枠部２２の上面と欄間パネル２４の下面とに接面する水平支持片３１が備わっている。さらに、上枠部２２と欄間パネル２４との接合部の室内側部分に目地材２５を取り付けた。【選択図】  図２
2006097459.tif 000002
【特許請求の範囲】
【請求項１】
ドアと天井部との間に取り付けられる欄間パネルの取付構造であって、ドアの上部に設けられた支持部材の上面に前記支持部材の長手方向に沿って延びる取付用係合部を形成するとともに、前記欄間パネルの下面に、前記取付用係合部と係合する取付用被係合部を前記欄間パネルの下面の長手方向に沿って形成し、前記取付用係合部に前記取付用被係合部を係合させることによって、前記欄間パネルを前記支持部材に取り付けたことを特徴とする欄間パネルの取付構造。
【請求項２】
前記取付用係合部を係合溝部または係合突条で構成するとともに、前記取付用被係合部を前記係合溝部に係合可能な被係合突条または前記係合突条に係合可能な被係合溝部で構成した請求項１に記載の欄間パネルの取付構造。
【請求項３】
ドアと天井部との間に取り付けられる欄間パネルの取付構造であって、ドアの上部に設けられた支持部材の上面に前記支持部材の長手方向に沿って延びる取付用係合部を形成するとともに、前記欄間パネルの下面に、取付用被係合部を前記欄間パネルの下面の長手方向に沿って形成し、前記支持部材と前記欄間パネルとの間に、前記取付用係合部に係合する連結用被係合部と前記取付用被係合部に係合する連結用係合部とを備えた連結部材を設け、前記連結部材を介して前記支持部材と前記欄間パネルとを組み付けたことを特徴とする欄間パネルの取付構造。
【請求項４】
前記連結部材が、前記支持部材の上面と前記欄間パネルの下面とに接面する水平支持片を備えている請求項３に記載の欄間パネルの取付構造。
【請求項５】
前記連結部材が、切断可能な弾性部材で構成されている請求項３または４に記載の欄間パネルの取付構造。
【請求項６】
前記支持部材と前記欄間パネルとの接合部の長手方向に沿った両側部における少なくとも一方に目地材を設けた請求項１ないし５のうちのいずれか一つに記載の欄間パネルの取付構造。
【請求項７】
請求項５に記載の欄間パネルの取付構造が備える連結部材を用いてドアと天井部との間に欄間パネルを取り付ける欄間パネルの取付方法であって、前記支持部材の取付用係合部に前記連結部材の連結用被係合部を係合させた状態または前記欄間パネルの取付用被係合部に前記連結部材の連結用係合部を係合させた状態で、前記支持部材を前記欄間パネルの下側に押し込んで、前記連結用係合部と前記取付用被係合部とを係合させるか、または前記連結用被係合部と取付用係合部とを係合させることにより、前記支持部材と前記欄間パネルとを前記連結部材を介して組み付け、前記支持部材を前記欄間パネルから取り外す際には、前記連結部材を上下に切断して前記支持部材を前記欄間パネルから取り外すようにした欄間パネルの取付方法。
【発明の詳細な説明】
【技術分野】
【０００１】
本発明は、ドアと天井部との間に取り付けられる欄間パネルの取付構造および取付方法に関する。
【背景技術】
【０００２】
従来から、例えば、ユニット型の浴室の中に、欄間パネルを備えたものがある（例えば、特許文献１参照）。この浴室ユニットでは、ドア枠の上枠部材に、欄間パネルを支持する欄間パネル受部と、欄間パネルの前面下部側部分を被うように欄間パネル受部から立ち上がったスカート部とが形成されている。そして、欄間パネルは、前面下部をスカート部に当てた状態で、欄間パネル受部の上面に載せられ、上端両側部分をクリップ部材を介して天井パネルに固定されている。
【特許文献１】特開平１１−２００７１２号公報
【発明の開示】
【０００３】
しかしながら、前述した従来の欄間パネルの取付構造では、欄間パネルの化粧面を構成する前面の下部がスカート部によって被われている。このため、外観上の美観が損なわれるという問題がある。また、欄間パネルとスカート部との間に段差が生じるため、これによっても外観が損なわれる。さらに、欄間パネルの下面は、欄間パネル受部の上面に接しているだけであるため、設置の面で安定性が欠けるという問題もある。例えば、欄間パネルを前方のスカート部側から押すと揺れて動いてしまう。また、欄間パネルは両側部を固定することにより取り付けられるため、複数の欄間パネルを並べて設置することが難しいという問題もある。また、欄間パネルを支持するドア枠を取り替える必要が生じた場合には、ドア枠だけでなく欄間パネルや天井パネルも取り外さなければならないため、ドア枠の取替え作業が面倒になるという問題もある。
【０００４】
本発明は、前述した問題に対処するためになされたもので、その目的は、欄間パネルを1枚、或いは複数枚並べる場合でも安定した状態で取り付けることができ、さらにドア枠の取替えが容易になる欄間パネルの取付構造および取付方法を提供することである。
【０００５】
前述した目的を達成するため、本発明に係る欄間パネルの取付構造の構成上の特徴は、ドアと天井部との間に取り付けられる欄間パネルの取付構造であって、ドアの上部に設けられた支持部材の上面に支持部材の長手方向に沿って延びる取付用係合部を形成するとともに、欄間パネルの下面に、取付用係合部と係合する取付用被係合部を欄間パネルの下面の長手方向に沿って形成し、取付用係合部に取付用被係合部を係合させることによって、欄間パネルを支持部材に取り付けたことにある。
【０００６】
このように構成した本発明に係る欄間パネルの取付構造では、欄間パネルは支持部材の上面に載せるだけでなく、取付用係合部と取付用被係合部との係合によって下面を支持部材の上面に固定された状態で取り付けられるため、欄間パネルを安定した状態で取り付けることができる。このため、欄間パネルに前側から後側に向けて押す力が加わっても、欄間パネルが動いてしまうことがない。
【０００７】
また、この場合、支持部材は欄間パネルの下面だけを支持すればよい。このため、支持部材が欄間パネルの前面を被ったり、支持部材と欄間パネルの前面との間に段差ができたりすることがなくなり、外観上の美観を損なうことがない。また、取付係合部と取付被係合部とは、互いに係合することにより、支持部材および欄間パネルの長手方向に沿って欄間パネルを支持部材に固定できる構造のものであればどのような構造のものでも使用することができる。例えば、支持部材に所定間隔を保って複数の突部または穴部を設け、欄間パネルに同じ間隔を保って、支持部材の突部または穴部に係合可能な複数の穴部または突部を設けることができる。また、支持部材に長い突条または溝部を設け、欄間パネルに支持部材の突条または溝部に係合可能な溝部または突条を設けることもできる。
【０００８】
取付用係合部を係合溝部または係合突条で構成するとともに、取付用被係合部を係合溝部に係合可能な被係合突条または係合突条に係合可能な被係合溝部で構成した場合には、突条と溝部とを組み付けるだけで欄間パネルを支持部材に取り付けることができる。このため、簡単な構造で確実な欄間パネルの支持部材への取り付けが可能になる。また、支持部材の一方の端部に欄間パネルの他方の端部を合わせ、欄間パネルを支持部材に対してスライドさせるだけで、欄間パネルの取り付けができるため取り付けのための操作も容易になる。さらに、支持部材を長くして、複数の欄間パネルを並べた場合であっても、安定した状態で支持部材に取り付けることができる。
【０００９】
また、本発明に係る欄間パネルの取付構造の他の構成上の特徴は、ドアと天井部との間に取り付けられる欄間パネルの取付構造であって、ドアの上部に設けられた支持部材の上面に支持部材の長手方向に沿って延びる取付用係合部を形成するとともに、欄間パネルの下面に、取付用被係合部を欄間パネルの下面の長手方向に沿って形成し、支持部材と欄間パネルとの間に、取付用係合部に係合する連結用被係合部と取付用被係合部に係合する連結用係合部とを備えた連結部材を設け、連結部材を介して支持部材と欄間パネルとを組み付けたことにある。
【００１０】
この場合の連結部材は金具で構成することができ、これによると、より強固な欄間パネルの取り付けが可能になる。また、連結部材としては、レール状の長いものを用いてもよいし、長さの短い金具を複数個用いてもよい。長い連結部材を用いる場合、支持部材の取付用係合部と欄間パネルの取付用被係合部の双方を溝部で構成し、連結用被係合部と連結用係合部の双方を突条で構成することができる。また、取付用係合部と取付用被係合部の双方を突条で構成し、連結用被係合部と連結用係合部の双方を溝部で構成することもできる。
【００１１】
さらに、取付用係合部、取付用被係合部、連結用被係合部および連結用係合部を適宜、突状と溝部との組み合わせを変えて構成することもできる。また、長さの短い連結部材を複数個用いる場合には、例えば、円柱状の棒で連結部材を構成するとともに、支持部材と欄間パネルとに穴部を設け、連結部材の両側部分をそれぞれ支持部材の穴部と欄間パネルの穴部とに挿し込んで欄間パネルを支持部材に取り付けることができる。
【００１２】
また、連結部材に、支持部材の上面と欄間パネルの下面とに接面する水平支持片を設けることもできる。これによると、欄間パネルの下面を水平支持片上に設置するようになるため、支持部材の上面や欄間パネルの下面に多少の凹凸等があっても、欄間パネルをより安定した状態で、かつ適正な状態で取り付けることができる。また、連結部材を長いレール状に形成した場合には、複数の欄間パネルを取り付けても強固で適正な固定ができるようになる。
【００１３】
また、本発明に係る欄間パネルの取付構造のさらに他の構成上の特徴は、連結部材が、切断可能な弾性部材で構成されていることにある。これによると、支持部材と欄間パネルとを組み付ける場合には、取付用係合部と連結用被係合部、または取付用被係合部と連結用係合部とを弾性部材を弾性変形させることにより係合させることができる。また、支持部材を欄間パネルから取り外す際には、弾性部材の所定部分を切断して弾性部材を上下に分割することにより欄間パネルからの支持部材の取り外しが可能になる。また、この場合の連結部材は、ゴムで構成することが好ましい。
【００１４】
また、本発明に係る欄間パネルの取付構造のさらに他の構成上の特徴は、支持部材と欄間パネルとの接合部の長手方向に沿った両側部における少なくとも一方に目地材を設けたことにある。これによると、支持部材と欄間パネルとの接合部の隙間を隠すことができ美観が向上するとともに、止水効果も向上する。例えば、この欄間パネルの取付構造を浴室ユニットで使用した場合には、目地材を室内側に設けることにより、浴室内の蒸気等が支持部材と欄間パネルとの接合部内や接合部から外部に出て行くことを防止できる。
【００１５】
また、本発明に係る欄間パネルの取付方法の構成上の特徴は、欄間パネルの取付構造が備える連結部材を用いてドアと天井部との間に欄間パネルを取り付ける欄間パネルの取付方法であって、支持部材の取付用係合部に連結部材の連結用被係合部を係合させた状態または欄間パネルの取付用被係合部に連結部材の連結用係合部を係合させた状態で、支持部材を欄間パネルの下側に押し込んで、連結用係合部と取付用被係合部とを係合させるか、または連結用被係合部と取付用係合部とを係合させることにより、支持部材と欄間パネルとを連結部材を介して組み付け、支持部材を欄間パネルから取り外す際には、連結部材を上下に切断して支持部材を欄間パネルから取り外すようにしたことにある。これによると、支持部材の欄間パネルへの取り付けおよび取り外しの作業が極めて容易になる。
【発明を実施するための最良の形態】
【００１６】
（第１実施形態）
以下、本発明に係る欄間パネルの取付構造の第１実施形態を図面を用いて説明する。図１は、同実施形態に係る欄間パネルの取付構造２０を備えた浴室ユニット１０を示している。この浴室ユニット１０は、浴槽フロア（図示せず）の上面に設置された浴槽１１を備えており、浴槽フロアの一方の縁部（浴室ユニット１０の中央側に位置する縁部）には、洗い場フロア１２が接続されている。また、浴槽フロアと洗い場フロア１２とで構成されるフロアの周縁部に壁パネル１３ａ，１３ｂ，１３ｃ（図示の手前側の壁パネルは図示せず）が起立状態で設置されている。
【００１７】
そして、壁パネル１３ａ等の上端部には、天井パネル（図示せず）が掛け渡されて固定されている。浴室ユニット１０を構成する浴槽１１、洗い場フロア１２、天井パネル等は、それぞれ樹脂の成形体で構成されている。また、壁パネル１３ｂには、浴室ユニット１０と脱衣室（図示せず）との間を開閉する折れ戸式のドア１４が設けられている。そして、洗い場フロア１２の上面における壁パネル１３ａに沿った部分にカウンター１５が設けられ、壁パネル１３ａにおけるカウンター１５の上方に棚１６や鏡１６ａが設けられている。
【００１８】
また、カウンター１５の上面における浴槽１１側部分には、浴槽１１内に湯や水を取り出したり、カウンター１５で使用する湯や水を取り出したりするための水栓１７が設けられている。そして、カウンター１５の前側面における壁パネル１３ｂ側部分には、シャワー１８が設けられ、その先端把持部が壁パネル１３ｂに設けられた支持部１８ａに着脱可能に保持されている。また、壁パネル１３ｂには、手摺１９も取り付けられている。
【００１９】
そして、ドア１４と天井パネルとの間に、欄間パネルの取付構造２０が形成されている。この取付構造２０の縦断面を図２に示している。すなわち、図２では、図示の左側が室内側、右側が室外側（脱衣室側）を示しており、この取付構造２０は、ドア１４が取り付けられた枠部材２１の上枠部２２と、連結部材２３と、２枚の欄間パネル２４と、目地材２５とで構成されている。上枠部２２は、本発明に係る支持部材を構成する。
【００２０】
上枠部２２は、アルミの押出し材で構成されており、中空の略四角棒状体で構成されている。この上枠部２２では、ドア１４の上端面に対向する下面部２２ａと、下面部２２ａの前端縁部から垂直に立ち上がった表面部２２ｂとは平面状に形成されている。そして、上面部と後面部とを構成する部分が、前部側（室内側）から後部側（室外側）に徐々に低くなるとともに前後方向の幅が徐々に広くなった３段の段部に形成されている。前部の最上段部は、連結部材２３の前端部を支持するための支持面部２６ａを構成しており、二番目の中段部２６ｂはパッキン材等（図示せず）を充填することのできる充填用凹部を構成している。
【００２１】
そして、後部の最下段部２６ｃは、連結部材２３を取り付けるための本発明に係る取付用係合部としての係合溝部２７を構成しており、最下段部２６ｃの後部側部分から後部壁２８ａが立ち上がっている。このため、中段部２６ｂと最下段部２６ｃとを連結する垂直連結部２６ｄと、最下段部２６ｃと後部壁２８ａとで係合溝部２７が形成されている。また、後部壁２８ａの上端部からは、後方に向けて、支持面部２６ａと同じ高さに設定された支持面部２８ｂが形成されている。この支持面部２８ｂは、連結部材２３の後端部を支持する。また、下面部２２ａの下面における後端部には、ドア１４が閉まる際の移動を止めて静止させるための静止用突起２９が形成され、その後方には、上枠部２２を壁パネル１３ｂ，１３ｃに固定するための固定用突起２９ａが形成されている。
【００２２】
連結部材２３は、左右方向の長さが上枠部２２と略等しい長さに設定されたアルミの押出し材で構成されており、図３（ａ）（ｂ）に示した形状に形成されている。この連結部材２３は、左右に延びる薄板状の水平支持片３１と、水平支持片３１の下面後部側部分から下方に延びる本発明の連結用被係合部としての厚板状の下部突条３２ａと、水平支持片３１の上面における下部突条３２ａの位置よりもやや前部側部分から上方に延びる本発明の連結用係合部としての厚板状の上部突条３２ｂとで構成されている。この連結部材２３は、水平支持片３１の前端側部分を支持面部２６ａに支持させるとともに、水平支持片３１の後端側部分を支持面部２８ｂに支持させ、下部突条３２ａを係合溝部２７に係合させた状態で上枠部２２に取り付けられている。
【００２３】
欄間パネル２４は、表面部が化粧板２４ａで構成されており、下面に、連結部材２３の上部突条３２ｂと係合できる本発明の取付用被係合部としての被係合溝部３３が形成されている。そして、被係合溝部３３と連続して被係合溝部３３の前部側に高さ（深さ）の低い溝状凹部３４が形成されている。この、欄間パネル２４は、下面の前端側部分を水平支持片３１の前端側部分に支持させるとともに、下面の後端側部分を水平支持片３１の後端側部分に支持させ、被係合溝部３３に上部突条３２ｂを係合させた状態で連結部材２３を介して上枠部２２に取り付けられている。このようにして欄間パネル２４は、２枚並んで設置されている。また、欄間パネル２４の上端部は、固定部材（図示せず）を介して天井パネルに固定されている。
【００２４】
目地材２５は、弾性ゴムからなるシール材で構成されており、上枠部２２と欄間パネル２４との間における表面側部分に取り付けられている。すなわち、この目地材２５は、断面が四角形に形成された細い固定片２５ａと、固定片２５ａの前端部に形成された断面形状が半円状の表面部２５ｂとで構成されている。目地材２５は、固定片２５ａを上枠部２２と欄間パネル２４との間の隙間に押し込んで固定することにより、表面部２５ｂを表面に露呈させた状態で上枠部２２と欄間パネル２４との間に取り付けられている。
【００２５】
本実施形態に係る取付構造２０は以上のように構成されているため、図１に示したように、浴室ユニット１０の室内側から見ると、ドア１４の上方に欄間パネル２４の化粧板２４ａが位置し、ドア１４が取り付けられた枠部材２１の上枠部２２と欄間パネル２４との間には、目地材２５の表面部２５ｂが位置する。このため、表面には凹凸や隙間等がなくなり、美観に優れたすっきりとした壁面を形成することができる。また、上枠部２２と欄間パネル２４との間には、目地材２５が取り付けられて隙間がないため、浴室ユニット１０内の蒸気等が外部に漏れることがなくなる。
【００２６】
また、本実施形態に係る取付構造２０では、上枠部２２の上面に欄間パネル２４を載せるだけでなく、連結部材２３を介して欄間パネル２４の下面を上枠部２２の上面に固定した状態で欄間パネル２４が取り付けられている。このため、欄間パネル２４に前側から押す力が加わっても、欄間パネル２４が不用意に動いてしまうことがない。さらに、連結部材２３が上枠部２２に沿って長く形成されているため、２枚の欄間パネル２４を安定した状態で並べて取り付けることができる。
【００２７】
また、連結部材２３に、水平支持片３１が設けられているため、上枠部２２の上面や欄間パネル２４の下面に多少の凹凸等があっても、欄間パネル２４を水平状態で設置することができる。また、中段部２６ｂと連結部材２３とで構成される充填用凹部や溝状凹部３４に、目地材２５に代えて、或いは目地材２５とともにパッキン材等のシール材を入れることができる。これによると、欄間パネル２４と上枠部２２との間の止水性を一層向上させることができる。
【００２８】
（第２実施形態）
図４は、本発明の第２実施形態に係る欄間パネルの取付構造４０を示している。この取付構造４０は、三枚引き戸式のドア（図示せず）の上方に３枚（１枚しか図示せず）の欄間パネル４４を並べて取り付けた構成になっており、上枠部４２の下部に引き戸（図示せず）の上端部を支えるための２個の支持溝部が４９ａ，４９ｂが前後に形成されている。このため下面部４２ａは、前述した上枠部２２の下面部２２ａよりも前後方向の長さが長くなるように形成されている。３枚の引き戸のうちの２枚の引き戸は、例えば、支持溝部４９ａに取り付けられ、他の引き戸は支持溝部４９ｂに取り付けられる。
【００２９】
また、上枠部４２の表面部４２ｂの高さ方向の長さは、上枠部２２の表面部２２ｂの高さ方向の長さよりも長くなるように形成され、上枠部４２の後面部の高さ方向の長さは、上枠部２２の後面部の高さ方向の長さよりも長くなるように形成されている。このため、上枠部４２の上面部の高さは、上枠部２２の上面部の高さよりも高くなっている。この取付構造４０における上枠部４２以外の部分の構成については、前述した取付構造２０と同一である。したがって、同一部分に同一符号を記して説明は省略する。この取付構造４０によれば、上枠部４２の下方に３枚の引き戸を取り付けることができる。また、上枠部４２等の左右方向の長さに合わせて３枚の欄間パネル４４を並べて取り付けることができる。この取付構造４０におけるそれ以外の作用効果については、前述した取付構造２０と同様である。
【００３０】
（第３実施形態）
図５は、本発明の第３実施形態に係る欄間パネルの取付構造５０を示している。この取付構造５０では、上枠部５２の上面は略平面状に形成され、その上面における前後方向の略中央部に係合溝部５７が形成されている。また、欄間パネル５４の下面における前後方向の略中央部に被係合溝部５８が形成されている。そして、連結部材５３の水平支持片５１の下面における前後方向の略中央部に下部突条５１ａが形成され、水平支持片５１の上面における前後方向の略中央部に上部突条５１ｂが形成されている。
【００３１】
このため、係合溝部５７に下部突条５１ａを係合させ、上部突条５１ｂに被係合溝部５８を係合させた状態で、欄間パネル５４は、連結部材５３を介して、上枠部５２に取り付けられている。この取付構造５０におけるそれ以外の部分の構成については、前述した取付構造２０と同一である。したがって、同一部分に同一符号を記して説明は省略する。この取付構造５０によれば、上枠部５２の構造が簡単になるため製造が容易になる。この取付構造５０におけるそれ以外の作用効果については、前述した取付構造２０と同様である。
【００３２】
（第４実施形態）
図６は、本発明の第４実施形態に係る欄間パネルの取付構造６０を示している。この取付構造６０では、上枠部６２の上面における前後方向の略中央部に係合溝部でなく係合突条６７が形成されている。また、欄間パネル６４の下面における前後方向の略中央部にも被係合溝部でなく被係合突条６８が形成されている。そして、連結部材６３は上下方向の肉厚が大きくなった板状に形成され、その下面における前後方向の略中央部に下部溝部６１ａが形成され、上面における前後方向の略中央部に上部溝部６１ｂが形成されている。
【００３３】
このため、係合突条６７に下部溝部６１ａを係合させ、上部溝部６１ｂに被係合突条６８を係合させた状態で、欄間パネル６４は、連結部材６３を介して、上枠部６２に取り付けられている。なお、この取付構造６０では目地材は使用されていない。この取付構造６０におけるそれ以外の部分の構成については、前述した取付構造２０と同一である。したがって、同一部分に同一符号を記して説明は省略する。また、この取付構造６０における作用効果についても、前述した取付構造２０等と同様である。
【００３４】
（第５実施形態）
図７は、本発明の第５実施形態に係る欄間パネルの取付構造７０を示している。この取付構造７０では、上枠部７２の上面における前後方向の略中央部に係合突条７７が形成され、欄間パネル７４の下面における前後方向の略中央部には係合突条７７と係合可能な被係合溝部７８が形成されている。そして、この取付構造７０では、連結部材は使用されてなく、係合突条７７に被係合溝部７８を係合させた状態で、欄間パネル７４は、直接上枠部７２に取り付けられている。また、この取付構造７０においても目地材は使用されていない。この取付構造６０におけるそれ以外の部分の構成については、前述した取付構造２０と同一である。したがって、同一部分に同一符号を記して説明は省略する。
【００３５】
この取付構造７０では、連結部材を使用しないため、製造コストが安価につく。また、連結部材の取り付け作業がなくなるため、欄間パネル７４の設置作業が容易になる。この取付構造７０におけるそれ以外の作用効果については、前述した取付構造２０等と同様である。また、この取付構造７０の変形例として、上枠部の上面における前後方向の略中央部に係合溝部を形成し、欄間パネルの下面における前後方向の略中央部に係合突条を形成することもできる。これによっても、取付構造７０と同様の作用効果を得ることができる。
【００３６】
（第６実施形態）
図８は、本発明の第６実施形態に係る欄間パネルの取付構造８０を示している。この取付構造８０では、上枠部８２の上面に前後２段になった係合溝部８７が形成されている。この係合溝部８７は、上枠部８２の上面におけるやや後部側（図８の右側）部分に形成された深さの深い凹部８７ａと、上枠部８２の上面における凹部８７ａの前部側に凹部８７ａと連続して形成され凹部８７ａよりも深さが浅くなった凹部８７ｂとで構成されている。また、欄間パネル８４の下面には、欄間パネル４４の被係合溝部３３と同形の凹部８３ａと欄間パネル４４の溝状凹部３４と同形の凹部８３ｂとからなる被係合溝部８３が形成されている。
【００３７】
そして、上枠部８２と欄間パネル８４とは、連結部材８５を介して組み付けられている。連結部材８５は、弾性を備えたゴム材で構成されており、図９に示した形状に形成されている。この連結部材８５は、左右（図９の状態で）に延びる薄板状の水平支持片８１と、水平支持片８１の下面やや後部側部分から下方に延びる２段状の下部突条８６と、水平支持片８１の上面やや後部側部分から上方に突出した上部突条８８とで構成されている。そして、下部突条８６は、水平支持片８１の下面におけるやや後部側部分に形成された上下方向の長さが長い突条８６ａと、水平支持片８１の下面における突条８６ａの前部側に形成され突条８６ａよりも上下方向の長さが短い突条８６ｂとで構成されている。
【００３８】
また、上部突条８８は、前面が垂直面８８ａに形成され、上面が前端部から後端部に掛けて上方が膨らむように湾曲しながら下方に延びる曲面８８ｂに形成された突部で構成されている。このように構成された連結部材８５は、水平支持片８１を上枠部８２の上面と欄間パネル８４の下面との間に位置させ、下部突条８６を係合溝部８７に係合させるとともに、上部突条８８を被係合溝部８３に係合させて、上枠部８２と欄間パネル８４とを組み付けている。この取付構造８０におけるそれ以外の部分の構成については、前述した取付構造６０と同一である。
【００３９】
この取付構造８０では、連結部材８５が切断可能な弾性部材であるゴム材で構成されているため、枠部材２１を欄間パネル８４の下側に取り付ける場合には、図１０に示したように、上枠部８２の上面に連結部材８５を取り付けた状態で、上枠部８２を欄間パネル８４の下側に押し込むことにより枠部材２１の取り付けができる。この場合、枠部材２１の上枠部８２側部分を室内側に傾斜させ、枠部材２１の下端部を設置位置に位置決めした状態で、枠部材２１を直立させるように起こしていくことにより、枠部材２１を欄間パネル８４の下側に組み付けることができる。
【００４０】
また、所定期間の使用により、ドア１４または枠部材２１を取り替える必要が生じた場合には、例えば、図１１に示した切断線ａの部分を薄刃を備えた刃物（図示せず）で切断する。これによって、上枠部８２は、欄間パネル８４に対して係合を解除された状態になるため、図１２および図１３に示したように、枠部材２１の上部を室内側に傾斜させることにより、枠部材２１を取り外すことができる。そして、図１４に示したように、新たな枠部材２１の上枠部８２に新たな連結部材８５を取り付け、図１０に示したように上枠部８２を欄間パネル８４の下側に押し込むことにより枠部材２１の取り付けができる。
【００４１】
この取付構造８０によると、連結部材８５が切断可能で弾性変形可能なゴム材で構成されているため、上枠部８２と欄間パネル８４とを組み付ける場合には、連結部材８５を弾性変形させながら上枠部８２を欄間パネル８４の下側に押し込むことにより、上枠部８２と欄間パネル８４を係合させることができる。また、上枠部８２を欄間パネル８４から取り外す際には、連結部材８５を切断して上下に分割することにより上枠部８２を欄間パネル８４から容易に取り外すことができる。このため、上枠部８２の欄間パネル８４への取り付けおよび取り外しの作業が極めて容易になる。また、連結部材８５をゴム材で構成したため、連結部材８５が止水性を備えるようになる。このため、目地材２５を省略することができる。この取付構造８０におけるそれ以外の作用効果については、前述した取付構造２０等と同様である。
【００４２】
（第７実施形態）
図１５は、本発明の第７実施形態に係る欄間パネルの取付構造９０を示している。この取付構造９０では、連結部材９５が、連結部材２３と似た形状のゴム材で構成されている。すなわち、この連結部材９５は、前後に延びる薄板状の水平支持片９１と、水平支持片９１の下面後部側部分から下方に延びる厚板状の下部突条９６と、水平支持片９１の上面における下部突条９６に対応する部分から上方に延びる厚板状の上部突条９８とで構成されている。この取付構造９０におけるそれ以外の部分の構成については、前述した取付構造８０と同一である。したがって、同一部分に同一符号を記して説明は省略する。
【００４３】
この取付構造９０では、枠部材２１を欄間パネル８４の下側に取り付ける場合には、前述した第１〜第５実施形態に係る取付構造２０等と同様にして枠部材２１と欄間パネル８４とを組み付ける。そして、ドア１４または枠部材２１を取り替える場合には、取付構造８０と同様、例えば、図１５に示した切断線ｂの部分を刃物で切断する。これによって、上枠部８２は、欄間パネル８４に対して係合を解除された状態になるため、枠部材２１の上部を室内側に傾斜させることにより、枠部材２１を取り外すことができる。この取付構造９０によると、枠部材２１を取り外す際の作業が容易になる。この取付構造９０におけるそれ以外の作用効果については、前述した取付構造８０と同様である。
【００４４】
また、本発明に係る欄間パネルの取付構造は、前述した実施形態以外についても本発明の技術的範囲内で適宜変更実施が可能である。例えば、前述した第１〜第７実施形態では、連結部材２３等を１個からなる長いもので構成したが、この連結部材２３等は、長さの短い複数個のもので構成し、これを所定間隔を保って取り付けることもできる。また、第５実施形態における係合突条７７と被係合溝部７８も長さの短いものを所定間隔を保って複数個設けた構成にすることができる。
【００４５】
さらに、取付用係合部、取付用被係合部、連結用係合部および連結被係合部を構成する突条や溝部も、適宜組み合わせを選択して用いることができ、それらの形状も適宜変更可能である。さらに、前述した各実施形態では、欄間パネルの取付構造２０等を、浴室ユニット１０に設けているが、この取付構造２０等は、浴室ユニット１０に限らず、トイレやその他、欄間パネルを備えたユニットルームであればどのようなものにでも使用することができる。
【図面の簡単な説明】
【００４６】
【図１】本発明の第１実施形態に係る欄間パネルの取付構造を備えた浴室ユニットの内部を示す斜視図である。
【図２】本発明の第１実施形態に係る欄間パネルの取付構造を示す縦断面図である。
【図３】連結部材を示しており、（ａ）は側面図、（ｂ）は正面図である。
【図４】本発明の第２実施形態に係る欄間パネルの取付構造を示す縦断面図である。
【図５】本発明の第３実施形態に係る欄間パネルの取付構造を示す縦断面図である。
【図６】本発明の第４実施形態に係る欄間パネルの取付構造を示す縦断面図である。
【図７】本発明の第５実施形態に係る欄間パネルの取付構造を示す縦断面図である。
【図８】本発明の第６実施形態に係る欄間パネルの取付構造を示す縦断面図である。
【図９】第６実施形態に係る欄間パネルの取付構造が備える連結部材を示す斜視図である。
【図１０】第６実施形態の上枠部を欄間パネルに係合させる状態を示す断面図である。
【図１１】第６実施形態の連結部材を切断する状態を示す断面図である。
【図１２】第６実施形態の上枠部を欄間パネルから外す状態を示す断面図である。
【図１３】第６実施形態の上枠部を欄間パネルから外す状態を示す斜視図である。
【図１４】上枠部に連結部材を取り付けた状態を示す断面図である。
【図１５】本発明の第７実施形態に係る欄間パネルの取付構造を示す縦断面図である。
【符号の説明】
【００４７】
１０…浴室ユニット、１４…ドア、２０，４０，５０，６０，７０，８０，９０…取付構造、２１…枠部材、２２，４２，５２，６２，７２，８２…上枠部、２３，５３，６３，８５，９５…連結部材、２４，４４，５４，６４，７４，８４…欄間パネル、２５…目地材、２６ａ，２８ｂ…支持面部、２７，５７…係合溝部、３１，５１，８１，９１…水平支持片、３２ａ，５１ａ，８６，９６…下部突条、３２ｂ，５１ｂ，８８，９８…上部突条、３３，５８，７８…被係合溝部、６１ａ…下部溝部、６１ｂ…上部溝部、６７，７７…係合突条、６８…被係合突条。
【図１】
2006097459.tif 000003
【図２】
2006097459.tif 000004
【図３】
2006097459.tif 000005
【図４】
2006097459.tif 000006
【図５】
2006097459.tif 000007
【図６】
2006097459.tif 000008
【図７】
2006097459.tif 000009
【図８】
2006097459.tif 000010
【図９】
2006097459.tif 000011
【図１０】
2006097459.tif 000012
【図１１】
2006097459.tif 000013
【図１２】
2006097459.tif 000014
【図１３】
2006097459.tif 000015
【図１４】
2006097459.tif 000016
【図１５】
2006097459.tif 000017